【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  一定周期のうねりを有するトラックが螺旋状に形成されている光ディスクからアドレス情報用のマークを検出するための光ディスク用アドレスマーク検出回路であって、
前記光ディスク上のトラックをトラッキングする光ビームの戻り光をプッシュプル法により差動検出して、プッシュプル信号を生成するプッシュプル信号生成手段と、
前記プッシュプル信号のボトムエンベロープまたはトップエンベロープに追従して、前記ボトムエンベロープまたはトップエンベロープの波形を表す第１のエンベロープ信号を生成する第１のエンベロープ検出手段と、
前記エンベロープ信号のレベルを２値化するための閾値信号を与える閾値信号発生手段と、
前記エンベロープ信号のレベルを前記閾値信号のレベルと比較して、前記アドレスマークを表すアドレスマーク検出信号を生成するアドレスマーク検出信号生成手段と
を有する光ディスク用アドレスマーク検出回路。
【請求項２】  一定周期のうねりを有するデータ記録用のグルーブが螺旋状に形成され、かつ相隣接する前記グルーブ間のランドに記録データのアドレス情報を与えるためのマークが形成されている光ディスクから前記マークを検出するための光ディスク用アドレスマーク検出回路であって、
前記光ディスク上のグルーブをトラッキングする光ビームの戻り光をプッシュプル法により差動検出して、プッシュプル信号を生成するプッシュプル信号生成手段と、
前記プッシュプル信号のボトムエンベロープまたはトップエンベロープに追従して、前記ボトムエンベロープまたはトップエンベロープの波形を表す第１のエンベロープ信号を生成する第１のエンベロープ検出手段と、
前記エンベロープ信号のレベルを２値化するための閾値信号を与える閾値信号発生手段と、
前記エンベロープ信号のレベルを前記閾値信号のレベルと比較して、前記アドレスマークを表すアドレスマーク検出信号を生成するアドレスマーク検出信号生成手段と
を有する光ディスク用アドレスマーク検出回路。
【請求項３】  一定周期のうねりを有するデータ記録用のグルーブが螺旋状に形成されるとともに、相隣接する前記グルーブ間にデータ記録用のランドが設定され、記録トラックの単位区間毎に前記グルーブまたは前記ランドに対してラジアル方向に所定のピッチだけオフセットした位置に記録データのアドレス情報を与えるためのマークが形成されている光ディスクから前記マークを検出するための光ディスク用アドレスマーク検出回路であって、
前記光ディスク上の記録トラックをトラッキングする光ビームの戻り光をプッシュプル法により差動検出して、プッシュプル信号を生成するプッシュプル信号生成手段と、
前記プッシュプル信号のボトムエンベロープまたはトップエンベロープに追従して、前記ボトムエンベロープまたはトップエンベロープの波形を表す第１のエンベロープ信号を生成する第１のエンベロープ検出手段と、
前記エンベロープ信号のレベルを２値化するための閾値信号を与える閾値信号発生手段と、
前記エンベロープ信号のレベルを前記閾値信号のレベルと比較して、前記アドレスマークを表すアドレスマーク検出信号を生成するアドレスマーク検出信号生成手段と
を有する光ディスク用アドレスマーク検出回路。
【請求項４】  前記第１のエンベロープ検出手段が、前記プッシュプル信号のボトムエンベロープまたはトップエンベロープに対する追従速度を前記光ディスクの回転速度に応じて可変制御する手段を有する請求項１〜３のいずれか一項に記載の光ディスク用アドレスマーク検出回路。
【請求項５】  前記閾値信号発生手段が、
前記第１のエンベロープ検出手段よりも遅い追従速度で前記プッシュプル信号のボトムエンベロープまたはトップエンベロープに追従して、前記ボトムエンベロープまたはトップエンベロープの波形を表す第２のエンベロープ信号を生成する第２のエンベロープ検出手段と、
前記第２のエンベロープ信号を所定値だけレベルシフトして前記閾値信号とするレベルシフト手段と
を有する請求項１〜４のいずれか一項に記載の光ディスク用アドレスマーク検出回路。
【請求項６】  前記閾値信号発生手段が、
前記プッシュプル信号の低域を通過させて高域をカットするローパスフィルタと、
前記ローパスフィルタの出力信号を所定値だけレベルシフトして前記閾値信号とするレベルシフト手段と
を有する請求項１〜４のいずれか一項に記載の光ディスク用アドレスマーク検出回路。
【請求項７】  前記閾値信号発生手段が、予め設定された一定レベルの信号を前記閾値信号として出力する基準値発生手段を有する請求項１〜４のいずれか一項に記載の光ディスク用アドレスマーク検出回路。
【請求項８】  前記プッシュプル信号生成手段が、
前記光ディスクからの前記光ビームの戻り光をラジアル方向に２分割された第１および第２の受光領域で受光してそれぞれの受光領域における前記戻り光の光強度に応じた第１および第２の電気信号を出力する光検出手段と、
前記第１の電気信号と前記第２の電気信号との差をとって前記プッシュプル信号を生成する減算手段と
を有する請求項１〜７のいずれか一項に記載の光ディスク用アドレスマーク検出回路。
【請求項９】  前記プッシュプル信号生成手段が、前記第１の電気信号に含まれるデータ成分の振幅と前記第２の電気信号に含まれるデータ成分の振幅とをほぼ等しくするように、前記第１および第２の電気信号に対する増幅の利得をそれぞれ自動的に制御する第１および第２の自動利得制御回路を有する請求項８に記載の光ディスク用アドレスマーク検出回路。
【請求項１０】  前記プッシュプル信号生成手段が、
前記光ディスクからの前記光ビームの戻り光をラジアル方向に２分割された第１組および第２組の受光領域で受光して各組に属する個々の受光領域における前記戻り光の光強度に応じた電気信号を出力する光検出手段と、
前記第１組の受光領域から得られる複数の前記電気信号の和をとって第１の和信号を生成する第１の加算手段と、
前記第２組の受光領域から得られる複数の前記電気信号の和をとって第２の和信号を生成する第２の加算手段と、
前記第１の和信号と前記第２の和信号との差をとって前記プッシュプル信号を生成する減算回路と
を有する請求項１〜７のいずれか一項に記載の光ディスク用アドレスマーク検出回路。
【請求項１１】  前記プッシュプル信号生成手段が、前記第１の和信号に含まれるデータ成分の振幅と前記第２の和信号に含まれるデータ成分の振幅とをほぼ等しくするように、前記第１および第２の電気信号に対する増幅の利得をそれぞれ自動的に制御する第１および第２の自動利得制御回路を有する請求項１０に記載の光ディスク用アドレスマーク検出回路。
【請求項１２】  光ディスク記録媒体の記録領域の物理的形状に応じた第１の信号成分と前記記録領域に記録されている所定の情報用のマークに応じた第２の信号成分とを有する読み出し信号を入力する入力端子と、
前記読み出し信号を入力して前記第１の信号成分を含有する第１の信号を生成する第１の信号生成回路と、
前記読み出し信号を入力して前記第２の信号成分を含有する第２の信号を生成する第２の信号生成回路と、
前記第１の信号と前記第２の信号とを比較することにより前記第２の信号成分に対応したマーク検出信号を生成するマーク検出信号生成回路と
を有する光ディスク用マーク検出回路。
【請求項１３】  光ディスク記録媒体の記録領域の物理的形状に応じた第１の信号成分と前記記録領域に記録されている所定の情報用のマークに応じた第２の信号成分とを有するラジアルプッシュプル信号を入力する入力端子と、
前記ラジアルプッシュプル信号のトップエンベロープ又はボトムエンベロープに追従して前記トップエンベロープ又はボトムエンベロープの波形に対応する第１の信号を生成する第１の信号生成回路と、
前記第１の信号生成回路よりも速い追従特性を有し、前記ラジアルプッシュプル信号のトップエンベロープ又はボトムエンベロープに追従して前記トップエンベロープ又はボトムエンベロープの波形に対応する第２の信号を生成する第２の信号生成回路と、
前記第１の信号と前記第２の信号とを比較することにより前記第２の信号成分に対応したマーク検出信号を生成するマーク検出信号生成回路と
を有する光ディスク用マーク検出回路。
【請求項１４】  前記第１及び第２の信号がボトムエンベロープ信号である請求項１３に記載の光ディスク用マーク検出回路。
【請求項１５】  前記第１の信号に所定のオフセットを与えるオフセット回路を有し、
前記マーク検出信号生成回路がオフセットを与えられた前記第１の信号と前記第２の信号とを比較する比較回路を有する請求項１２、１３又は１４に記載の光ディスク用マーク検出回路。
【請求項１６】  前記第１の信号成分がウォブル信号成分であり、前記第２の信号成分がランドプリピット信号成分である請求項１２、１３、１４又は１５に記載の光ディスク用マーク検出回路。
【手続補正２】
【補正対象書類名】明細書
【補正対象項目名】００１７
【補正方法】変更
【補正の内容】
【００１７】
さらに、本発明のその他の光ディスク用マーク検出回路は、光ディスク記録媒体の記録領域の物理的形状に応じた第１の信号成分と前記記録領域に記録されている所定の情報用のマークに応じた第２の信号成分とを有するラジアルプッシュプル信号を入力する入力端子と、前記ラジアルプッシュプル信号のトップエンベロープ又はボトムエンベロープに追従して前記トップエンベロープ又はボトムエンベロープの波形に対応する第１の信号を生成する第１の信号生成回路と、前記第１の信号生成回路よりも速い追従特性を有し、前記ラジアルプッシュプル信号のトップエンベロープ又はボトムエンベロープに追従して前記トップエンベロープ又はボトムエンベロープの波形に対応する第２の信号を生成する第２の信号生成回路と、前記第１の信号と前記第２の信号とを比較することにより前記第２の信号成分に対応したマーク検出信号を生成するマーク検出信号生成回路とを有する。